(57)【要約】【課題】本発明は安価に動作周波数の高速化、ＥＭＩ対策を行う光書込制御装置を提供する。【解決手段】デジタル複写装置１は、入力画像データをメモリ制御部４１で転送クロックＣＬＫＶに同期させて取り込み、当該取り込んだ画像データに画像処理部４２で所定の画像処理を施して、当該画像処理の施された画像データにパターン生成部４３等で必要な付与情報を付与した後、画像データを、点灯制御部４６で、レーザ光源の点灯制御用の信号として所定周波数の最終クロックＣＬＫＷに同期させて出力して、ＬＤアレイユニット２３を点灯制御するが、少なくとも画像処理部４２を、最終クロックＣＬＫＷの周波数とは異なる周波数の中間クロックＣＬＫＥで動作させている。したがって、安価に複数の周波数で動作させ、安価にかつ適切に動作周波数の高速化とＥＭＩ対策を行うことができる。【選択図】          図３
2004349792.tif 000002
【特許請求の範囲】
【請求項１】
入力画像データをデータ取込手段で所定の転送クロックに同期させて取り込み、当該取り込んだ画像データに画像処理手段で所定の画像処理を施して、当該画像処理の施された画像データに情報付与手段で必要な付与情報を付与した後、当該付与情報の付与された画像データを、点灯制御手段で、前記レーザ光源の点灯制御用の信号として所定周波数の最終クロックに同期させて出力して、レーザ光を出射するレーザ光源を点灯制御する光書込制御装置であって、少なくとも前記画像処理手段を、前記最終クロックの周波数とは異なる周波数の動作クロックで動作させることを特徴とする光書込制御装置。
【請求項２】
前記光書込制御装置は、少なくとも前記画像処理手段を動作させる動作クロックが、前記最終クロックの周波数よりも低周波数のクロックであることを特徴とする請求項１記載の光書込制御装置。
【発明の詳細な説明】
【０００１】
【発明の属する技術分野】
本発明は、光書込制御装置に関し、詳細には、安価に動作周波数の高速化、ＥＭＩ対策を行う光書込制御装置に関する。
【０００２】
【従来の技術】
【特許文献１】
特開平９−９０２１号公報
デジタル複写装置、デジタルプリンタ及びデジタルファクシミリ装置等の画像形成装置においては、高品質の画像を高速に記録することができることから、半導体レーザ等のレーザ光源から出射されたレーザ光を利用して画像形成する電子写真方式の画像形成装置が普及している。
【０００３】
電子写真方式の画像形成装置においては、書込制御ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）で、前段の画像加工部から入力される画像データの取り込みを行い、取り込んだ画像データに対して、スムージング処理等の編集処理及びシステムに対応した付与情報の追加を行った後、レーザ光源の制御を行うＬＤ制御部に対して、ＬＤ点灯信号を転送して、感光体上に静電潜像を形成している。
【０００４】
このような構成の画像形成装置の光書込装置においては、画像データの取込部分（メモリ制御部分）において、前段からの各種画像データフォーマットに対して、画像データのフォーマット変換を行うとともに、最終クロックへの画像データの同期化（速度変換）を主な機能としている。すなわち、メモリ制御部から出力された画像データは、以降、最終クロックに同期して各種処理を行う。
【０００５】
ところが、画像形成装置においては、近年、高速化、高画質化の要求に対応するために、書込クロック（最終クロック）の高速化の要求があり、書込制御ＡＳＩＣにおいては、動作周波数の高速化への対応に伴って、製造プロセスの微細化（０．３５ｕｍ→０．１８ｕｍ→０．１３ｕｍ）が進んでいる。
【０００６】
また、動作クロックの高速化に伴って、画像データの書込タイミングと画像データの読出タイミングとの同期を取るための対策が求められ、本出願人は、先に、ＦＩＦＯ（Ｆｉｒｓｔ−Ｉｎ  Ｆｉｒｓｔ−Ｏｕｔ）を用いて書き込みと読み出しの速度変換を行う画像データ制御装置を提案している（特許文献１参照）。
【０００７】
さらに、一般的に、画像形成装置では、動作周波数が高速化すると、放出する電磁波のエネルギが多くなり、各国で規制しているＥＭＩ（Ｅｌｅｃｔｒｏｍａｇｎｅｔｉｃ  Ｉｎｔｅｒｆｅｒｅｎｃｅ；電波雑音干渉）規格を満足できなくなってくる。
【０００８】
そして、従来から画像形成装置においては、外部へ放出する電磁波を少なくするために、シールドやフェライト等のＥＭＩ対策部品を取り付けて、ＥＭＩ規格を満足させている。
【０００９】
【発明が解決しようとする課題】
しかしながら、上記公報記載の従来技術にあっては、ＦＩＦＯを用いて速度変換を行っており、適切な速度変換を行うことはできるが、高速化に伴うタイミングエラー対策のためには、合成結果のゲート数が予期せぬほど膨大になり、ＡＳＩＣのトータルコストの上昇の原因となって、光書込制御装置、ひいては画像形成装置が高価なものとなるという問題があった。
【００１０】
また、従来、動作周波数が高速化することによる電磁波対策として、ＥＭＩ対策部品を光書込制御装置に取り付けているが、ＥＭＩ対策部品は、高価であり、光書込制御装置、ひいては画像形成装置が高価なものとなるという問題があった。
【００１１】
そこで、請求項１記載の発明は、入力画像データをデータ取込手段で所定の転送クロックに同期させて取り込み、当該取り込んだ画像データに画像処理手段で所定の画像処理を施して、当該画像処理の施された画像データに情報付与手段で必要な付与情報を付与した後、当該付与情報の付与された画像データを、点灯制御手段で、レーザ光源の点灯制御用の信号として所定周波数の最終クロックに同期させて出力して、レーザ光を出射するレーザ光源を点灯制御するに際して、少なくとも画像処理手段を、最終クロックの周波数とは異なる周波数の動作クロックで動作させることにより、安価に各手段を複数の周波数で動作させて、放射妨害電波ノイズを分散させ、安価にかつ適切に動作周波数の高速化とＥＭＩ対策を行う光書込制御装置を提供することを目的としている。
【００１２】
請求項２記載の発明は、少なくとも画像処理手段を動作させる動作クロックが、最終クロックの周波数よりも低周波数のクロックとすることにより、必要以上の製造プロセスの微細化及びゲート数の増加を防止し、より一層安価にかつ適切に放射妨害電波ノイズを分散させて、より一層安価にかつ適切に動作周波数の高速化とＥＭＩ対策を行う光書込制御装置を提供することを目的としている。
【００１３】
【課題を解決するための手段】
請求項１記載の発明の光書込制御装置は、入力画像データをデータ取込手段で所定の転送クロックに同期させて取り込み、当該取り込んだ画像データに画像処理手段で所定の画像処理を施して、当該画像処理の施された画像データに情報付与手段で必要な付与情報を付与した後、当該付与情報の付与された画像データを、点灯制御手段で、前記レーザ光源の点灯制御用の信号として所定周波数の最終クロックに同期させて出力して、レーザ光を出射するレーザ光源を点灯制御する光書込制御装置であって、少なくとも前記画像処理手段を、前記最終クロックの周波数とは異なる周波数の動作クロックで動作させることにより、上記目的を達成している。
【００１４】
上記構成によれば、入力画像データをデータ取込手段で所定の転送クロックに同期させて取り込み、当該取り込んだ画像データに画像処理手段で所定の画像処理を施して、当該画像処理の施された画像データに情報付与手段で必要な付与情報を付与した後、当該付与情報の付与された画像データを、点灯制御手段で、レーザ光源の点灯制御用の信号として所定周波数の最終クロックに同期させて出力して、レーザ光を出射するレーザ光源を点灯制御するに際して、少なくとも画像処理手段を、最終クロックの周波数とは異なる周波数の動作クロックで動作させるので、安価に各手段を複数の周波数で動作させて、放射妨害電波ノイズを分散させることができ、安価にかつ適切に動作周波数の高速化とＥＭＩ対策を行うことができる。
【００１５】
この場合、例えば、請求項２に記載するように、前記光書込制御装置は、少なくとも前記画像処理手段を動作させる動作クロックが、前記最終クロックの周波数よりも低周波数のクロックであってもよい。
【００１６】
上記構成によれば、少なくとも画像処理手段を動作させる動作クロックが、最終クロックの周波数よりも低周波数のクロックとしているので、必要以上の製造プロセスの微細化及びゲート数の増加を防止することができ、より一層安価にかつ適切に放射妨害電波ノイズを分散させて、より一層安価にかつ適切に動作周波数の高速化とＥＭＩ対策を行うことができる。
【００１７】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１８】
図１〜図５は、本発明の光書込制御装置の一実施の形態を示す図であり、図１は、本発明の光書込制御装置の一実施の形態を適用したデジタル複写装置１の要部ブロック構成図である。
【００１９】
図１において、デジタル複写装置１は、スキャナ部２、書込ユニット３、ＣＰＵ（Ｃｅｎｔｒａｌ  Ｐｒｏｃｅｓｓｉｎｇ  Ｕｎｉｔ  ）４、ＲＯＭ（Ｒｅａｄ  Ｏｎｌｙ  Ｍｅｍｏｒｙ）５、ＲＡＭ（Ｒａｎｄｏｍ  Ａｃｃｅｓｓ  Ｍｅｍｏｒｙ）６、画像メモリ７及び操作部８等を備えており、上記主要各部は、バス９で接続されていて、このバス９とスキャナ部２とのインターフェースを行うＩ／Ｆ１０等を備えている。
【００２０】
ＲＯＭ５は、デジタル複写装置１としての基本プログラム等の各種プログラムを格納しているとともに、これらの各種処理プログラムを実行するのに必要な各種データを予め格納している。
【００２１】
ＣＰＵ４は、ＲＯＭ５内のプログラムに基づいて、ＲＡＭ６をワークメモリとして利用しつつデジタル複写装置１の各部を制御し、デジタル複写装置１としての基本シーケンス等を実行する。
【００２２】
画像メモリ７は、大容量のＲＡＭあるいはハードディスク等で構成され、ＣＰＵ４の制御下で、スキャナ部２の読み取った画像データあるいは図示しない外部装置、例えば、パーソナルコンピュータ等から送られてきたデータ（画像データ）を一時記憶し、また、必要に応じて読み出される。
【００２３】
操作部８は、スタートキーやファンクションキー等の各種操作キーを備えるとともに、ディスプレイ（例えば、液晶ディスプレイ）を備え、操作キーからは、デジタル複写装置１を操作するのに必要な各種命令が入力され、ディスプレイには、操作キーから入力された命令内容やデジタル複写装置１からオペレータに通知する各種情報が表示される。
【００２４】
スキャナ部２は、図示しないが、原稿に読取光を照射する読取ランプ、原稿で反射された反射光を光電変換してアナログの画像データを出力するＣＣＤ（Ｃｈａｒｇｅ  Ｃｏｕｐｌｅｄ  Ｄｅｖｉｃｅ  ）等の光電変換素子、原稿で反射された反射光を光電変換素子に入射させる読取光学系等を備えているとともに、ＶＰＵ（Ｖｉｓｕａｌ  Ｐｒｏｃｅｓｓｉｎｇ  Ｕｎｉｔ）１１とＩＰＵ（Ｉｍａｇｅ  Ｐｒｏｃｅｓｓｉｎｇ  Ｕｎｉｔ）１２等を備えており、ＶＰＵ１１に、光電変換素子の変換したアナログの画像データが入力される。
【００２５】
ＶＰＵ１１は、光電変換素子から入力される原稿のアナログの画像データをＡ／Ｄ（アナログ／デジタル）変換して、黒オフセット補正、シェーディング補正及び画素位置補正を行っった後、ＩＰＵ３に出力する。
【００２６】
ＩＰＵ１２は、ＶＰＵ１１から入力される画像データに、所定の画像処理、例えば、２値画像においては、解像度変換及びサイズ変換等の画像処理を行って、Ｉ／Ｆ１０及びバス９を介して画像メモリ７に画像処理後の画情報を転送する。
【００２７】
書込ユニット３は、書込ユニット３の制御を行う書込制御ＡＳＩＣ２１、ＬＤ制御部２２及びＬＤアレイユニット２３等を備えており、さらに、詳細には、図２に示すように、偏向器２４、ｆθレンズ２５、感光体ドラム２６、光受光器２７等を備えている。そして、書込制御ＡＳＩＣ２１は、ＧＡＶＤ（Ｇａｔｅ  Ａｒｒａｙ  Ｖｉｄｅｏ  Ｄｅｖｉｃｅ  ）を含み、ＬＤ制御部２２は、ＬＤ駆動部２８とＡＰＣ制御部２９を有している。また、ＬＤアレイユニット（レーザ光源）２３は、発光部３０と受光部３１を備えており、発光部３０は、複数のＬＤを備え、各ＬＤは、それぞれＬＤ駆動部２８により駆動されて点灯、消灯する。受光部３１は、発光部３０のＬＤから後方に出射されるレーザビームが入射され、当該入射されるレーザビームの光強度を検出して、当該光強度に対応する受光信号をＬＤ制御部２２のＡＰＣ制御部２９に出力する。
【００２８】
書込ユニット３は、ＬＤアレイユニット２３の発光部３０から前方に出射されたレーザービームを、図示しないコリメータレンズによりコリメートして、回転多面鏡からなる偏向器２４で偏向し、ｆθレンズ２５により感光体ドラム２６の帯電器で一様に帯電された表面に結像させて、その結像スポットを偏向器２４の回転で感光体ドラム２６の軸方向に反復して移動すると同時に感光体ドラム２６が回転することで、感光体ドラム２６上に静電潜像を形成する。
【００２９】
光検出器２７は、感光体ドラム２６の情報書込領域外に設けられ、偏向器２４で偏向されたレーザービームを検出して同期検知信号を書込制御ＡＳＩＣ２１に出力する。書込制御ＡＳＩＣ２１は、情報信号をＬＤ制御部２２内のＬＤ駆動部２８に印可するが、そのタイミングを光検出器２７からの同期信号により制御する。ＬＤ駆動部２８は、書込制御ＡＳＩＣ２１のＧＡＶＤからの情報信号により、ＬＤアレイユニット２３の発光部３０を駆動させて感光体ドラム２６上に静電潜像を形成させる。
【００３０】
書込ユニット３は、感光体ドラム２６上に形成された静電潜像を現像器で現像して転写器で、転写紙等の用紙に転写して、画像形成する。
【００３１】
また、書込ユニット３は、ＬＤアレイユニット２３内の発光部３０から後方に出射されるレーザビームを、ＰＤ（フォトダイオード）等の受光部３１に入射して、受光部３１でその光強度を検出して、光強度に対応する受光信号をＡＰＣ制御部２９に出力する。
【００３２】
ＡＰＣ制御部２９は、受光部３１からの受光信号に応じてＬＤ駆動部２８を制御して、ＬＤアレイユニット２３の発光部３０の個々の発光素子の出力光量を一定に制御（ＡＰＣ制御）する。具体的には、ＬＤアレイユニット２３の各発光素子の駆動電源を、それぞれの受光信号により各発光素子の出力光量が一定になるように調整して保持する。
【００３３】
さらに、書込制御ＡＳＩＣ（光書込制御装置）２１は、図３に示すようにブロック構成されており、メモリ制御部４１、画像処理部４２、パターン生成部４３、４本のＦＩＦＯ４４、γ変換部４５及び点灯制御部４６等を備えており、書込ユニット３は、さらに、ゲート制御部４７、ＣＰＵＩ／Ｆ部４８及びレジスタ格納部４９等を備えている。
【００３４】
メモリ制御部（データ取込手段）４１は、ＩＰＵ１２から画像データが入力され、この画像データに速度変換処理及びフォーマット変換処理を行って、画像処理部４２に出力する。画像処理部（画像処理手段）４２は、メモリ制御部４１からの画像データに画像処理を施してパターン生成部４３に出力し、パターン生成部４３は、画像処理部４２からの画像データに各種作像パターンを付与してＦＩＦＯ４４に出力する。ＦＩＦＯ４４は、パターン生成部４３からの画像データをビーム間の主走査位置に合わせて感光体ドラム２６上での位置合せを行って、γ変換部４５に出力し、γ変換部４５は、ＦＩＦＯ４４から読み出された画像データをドラム特性に合わせてｄｕｔｙ変換を行って、点灯制御部４６に出力する。そして、上記パターン生成部４３、ＦＩＦＯ４４及びγ変換部４５は、全体として、情報付与手段として機能している。
【００３５】
点灯制御部（点灯制御手段）４６は、γ変換部４５からの画像データに対して、ＡＰＣ制御を行うためのデータ付加、同期信号確保用の強制点灯データを付加して、ＬＤ制御部２２に出力する。
【００３６】
ゲート制御部４７は、各モジュールの動作タイミングを同期信号に従って決定し、レジスタ格納部４９は、各制御部の動作モードを決定する。そして、ＣＰＵＩ／Ｆ部４８は、このレジスタ格納部３９とＣＰＵ４とのＩ／Ｆをつかさどる。
【００３７】
そして、上記書込制御ＡＳＩＣ２１は、図３に各部の動作クロックの割り振りを示すように、ＩＰＵ１２からメモリ制御部４１へ転送クロックＣＬＫＶに同期にて画像データが転送され、書込制御ＡＳＩＣ２１内のメモリ制御部４１は、転送クロックＣＬＫＶを用いて内部メモリに画像データを格納する。書込制御ＡＳＩＣ２１は、内部メモリからの画像データの読み出しを、中間クロックＣＬＫＥに同期して行い、当該画像データを、画像処理部４２、パターン生成部４３を中間クロックＣＬＫＥで通過させた後、中間クロックＣＬＫＥに同期させてＦＩＦＯ４４に格納する。書込制御ＡＳＩＣ２１は、ＦＩＦＯ４４からの画像データの読み出しを、最終クロックＣＬＫＷで行い、読み出した画像データを、最終クロックＣＬＫＷに同期させてγ変換部４５、点灯制御部４６を通過させて、最終クロックＣＬＫＷに同期させて、ＬＤ制御部５に当該画像データを供給する。
【００３８】
そして、書込制御ＡＳＩＣ２１内の各クロック、すなわち、最終クロックＣＬＫＷと中間クロックＣＬＫＥは、図示しないＰＬＬ（Ｐｈａｓｅ  Ｌｏｃｋｅｄ  Ｌｏｏｐ  ）により供給される。
【００３９】
クロックの供給方法は、例えば、ＰＬＬを２個用いて、各々ＰＬＬの発生するクロック毎に、独自の周波数を供給するようにしてもよいし、最終クロックＣＬＫＷをＰＬＬの分周によって供給する場合には、中間クロックＣＬＫＥを、その分周比を大きくすることで周波数を低くして供給するようにしてもよい。
【００４０】
次に、本実施の形態の作用を説明する。本実施の形態のデジタル複写装置１は、その書込制御ＡＳＩＣ２１の内部動作クロック周波数を複数用い、最終クロックＣＬＫＷの周波数よりも低い周波数のクロックを用いて内部で動作させる。
【００４１】
すなわち、通常のデジタル複写装置は、図４に示すように、同期信号、有効画像領域信号及び画像データが上記転送クロックＣＬＫＶで動作し、ライン位置合わせ信号、メモリ制御出力、画像処理部出力、パターン生成部出力（ＦＩＦＯ入力）、ＦＩＦＯ出力、γ変換部出力及び点灯制御部出力が最終クロックＣＬＫＷで動作しており、メモリ制御部から出力された画像データを、以降、最終クロックに同期して各種処理を行っている。
【００４２】
したがって、従来のデジタル複写装置では、タイミングエラーを防止するためにコストが高くかかったり、ＥＭＩ対策のためにコストが高くかかったりしていた。
【００４３】
そこで、本実施の形態のデジタル複写装置１は、図４に○で囲んで示す期間では、何の動作処理も行っていないため、この期間を有効に利用して、その分だけ動作クロック周波数を落としている。
【００４４】
すなわち、デジタル複写装置１は、スキャナ部２で原稿の画像を光電変換した光電変換素子からのアナログの画像データをＶＰＵ１１でＡ／Ｄ変換して必要な補正を行った後、書込制御ＡＳＩＣ２１に転送する。このとき、図５に▲１▼で示すように、ＩＰＵ１２から１ライン走査期間に４ライン分の画像データが、有効画像領域信号に従って、順次、書込制御ＡＳＩＣ２１に転送される。このＩＰＵ１２から書込制御ＡＳＩＣ２１への画像データの転送は、図５に示すように、転送クロックＣＬＫＶに同期して転送され、書込制御ＡＳＩＣ２１は、この転送されてきた画像データをメモリ制御部４１が順次内部メモリに格納する。
【００４５】
次に、書込制御ＡＳＩＣ２１は、図５に▲２▼で示すように、中間クロック用ライン位置合せ信号に同期した図示しないメモリ用主走査方向ゲート信号に従って出力タイミングが決定され、そのゲート信号に従って、メモリ制御部４１が内部メモリに格納した画像データを、当該メモリから随時、中間クロックＣＬＫＥを用いて読み出す、すなわち、メモリ制御出力する。
【００４６】
次に、書込制御ＡＳＩＣ２１は、メモリ制御出力データを、中間クロックＣＬＫＥで、画像処理部４２で、画像加工処理を行って、パターン制御部４３に入力し、パターン制御部４３で各パターン付与を行った後、図５に▲３▼で示すように、ＦＩＦＯ４４に入力する。
【００４７】
次に、書込制御ＡＳＩＣ２１は、図４に▲４▼で示すように、ＦＩＦＯ４４から画像データを最終クロックＣＬＫＷに同期して読み出し、γ変換部４５及び点灯制御部４６へと最終クロックＣＬＫＷに同期して転送してデータ付与したＬＤ点灯信号を出力ＬＥＤ制御部２２に出力する。
【００４８】
いま、有効書込幅が、３００ｍｍ、有効走査期間率が、６０％、ライン周期が、３００ｕｓであって、１２００ｄｐｉ書込みであるとすると、最終クロックＣＬＫＷは、３００ｍｍ×１２００ｄｐｉ÷（３００ｕｓ×６０％×２５．４ｍｍ）＝７８．７ＭＨｚとなる。
【００４９】
そして、中間クロック動作部分においては、画像領域信号しか扱わないため、有効書込幅分のみライン走査期間で扱えばよい。そこで、扱う比率を９５％とした場合、中間クロックＣＬＫＥとして、３００ｍｍ×１２００ｄｐｉ÷（３００ｕｓ×９５％×２５．４ｍｍ）＝４９．７ＭＨｚを用いることができ、この中間クロックＣＬＫＥの周波数まで、書込制御ＡＳＩＣ２１の動作周波数を落とすことができる。
【００５０】
すなわち、中間クロックＣＬＫＥでの動作部分は、４９．７ＭＨｚで合成が可能となり、設計上の負担が従来より小さくなる。
【００５１】
このように、本実施の形態のデジタル複写装置１は、入力画像データをメモリ制御部４１で転送クロックＣＬＫＶに同期させて取り込み、当該取り込んだ画像データに画像処理部４２で所定の画像処理を施して、当該画像処理の施された画像データにパターン生成部４３等で必要な付与情報を付与した後、当該付与情報の付与された画像データを、点灯制御部４６で、レーザ光源の点灯制御用の信号として所定周波数の最終クロックＣＬＫＷに同期させて出力して、レーザ光を出射するＬＤアレイユニット２３を点灯制御するに際して、少なくとも画像処理部４２を、最終クロックＣＬＫＷの周波数とは異なる周波数の動作クロックである中間クロックＣＬＫＥで動作させている。
【００５２】
したがって、安価に各手段を複数の周波数で動作させて、放射妨害電波ノイズを分散させることができ、安価にかつ適切に動作周波数の高速化とＥＭＩ対策を行うことができる。
【００５３】
また、本実施の形態のデジタル複写装置１は、少なくとも画像処理部４２を動作させる動作クロックを、最終クロックＣＬＫＷの周波数よりも低周波数のクロックである中間クロックＣＬＫＥとしている。
【００５４】
したがって、必要以上の製造プロセスの微細化及びゲート数の増加を防止することができ、より一層安価にかつ適切に放射妨害電波ノイズを分散させて、より一層安価にかつ適切に動作周波数の高速化とＥＭＩ対策を行うことができる。
【００５５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
請求項１記載の発明の光書込制御装置によれば、入力画像データをデータ取込手段で所定の転送クロックに同期させて取り込み、当該取り込んだ画像データに画像処理手段で所定の画像処理を施して、当該画像処理の施された画像データに情報付与手段で必要な付与情報を付与した後、当該付与情報の付与された画像データを、点灯制御手段で、レーザ光源の点灯制御用の信号として所定周波数の最終クロックに同期させて出力して、レーザ光を出射するレーザ光源を点灯制御するに際して、少なくとも画像処理手段を、最終クロックの周波数とは異なる周波数の動作クロックで動作させるので、安価に各手段を複数の周波数で動作させて、放射妨害電波ノイズを分散させることができ、安価にかつ適切に動作周波数の高速化とＥＭＩ対策を行うことができる。
【００５７】
請求項２記載の発明の光書込制御装置によれば、少なくとも画像処理手段を動作させる動作クロックが、最終クロックの周波数よりも低周波数のクロックとしているので、必要以上の製造プロセスの微細化及びゲート数の増加を防止することができ、より一層安価にかつ適切に放射妨害電波ノイズを分散させて、より一層安価にかつ適切に動作周波数の高速化とＥＭＩ対策を行うことができる。
【図面の簡単な説明】
【図１】本発明の光書込制御装置の一実施の形態を適用したデジタル複写装置の要部ブロック構成。
【図２】図１の書込ユニットの要部構成図。
【図３】図１の書込制御ＡＳＩＣの詳細な要部ブロック構成図。
【図４】従来のデジタル複写装置の書込制御ＡＳＩＣの動作タイミング図。
【図５】図１のデジタル複写装置の書込制御ＡＳＩＣの動作タイミング図。。
【符号の説明】
１  デジタル複写装置
２  スキャナ部
３  書込ユニット
４  ＣＰＵ
５  ＲＯＭ
６  ＲＡＭ
７  画像メモリ
８  操作部
９  バス
１０  Ｉ／Ｆ
１１  ＶＰＵ
１２  ＩＰＵ
２１  ＡＳＩＣ
２２  ＬＤ制御部
２３  ＬＤアレイユニット
２４  偏向器
２５  ｆθレンズ
２６  感光体ドラム
２７  光受光器
２８  ＬＤ駆動部
２９  ＡＰＣ制御部
３０  発光部
３１  受光部
４１  メモリ制御部
４２  画像処理部
４３  パターン生成部
４４  ＦＩＦＯ
４５  γ変換部
４６  点灯制御部
４７  ゲート制御部
４８  ＣＰＵＩ／Ｆ部
４９  レジスタ格納部
【図１】
2004349792.tif 000003
【図２】
2004349792.tif 000004
【図３】
2004349792.tif 000005
【図４】
2004349792.tif 000006
【図５】
2004349792.tif 000007